(57)【要約】【課題】可動ノーズを前面パネルに対して前傾させても異物や塵埃の侵入を防止できて意匠性も損なわれない「車載用機器のパネル装置」を提供すること。【解決手段】前面パネル（エスカッション）１の前方に傾倒可能に配置された可動ノーズ１０を該前面パネル１に対して前傾した姿勢に設定できるパネル装置において、可動ノーズ１０の姿勢を前傾させていくと、可動ノーズ１０の上端部と前面パネル１との間に画成される空間７０が板状カバー体５０で覆われるようにした。板状カバー体５０は、第１板状部材５１と第２板状部材５２の先端部どうしを支軸４を介して回動自在に連結したものであり、折畳み可能かつ展開可能である。第１板状部材５１の基端部は支軸５を介して可動ノーズ１０の上端部に回動自在に取着されており、第２板状部材５２の基端部は係合凸部５３を介して前面パネル１の側部（ガイド溝３）に摺動自在に支持されている。【選択図】図４
2009184569.tif 000002
【特許請求の範囲】
【請求項１】
本体装置の前面部に固設された前面パネルと、表示画面を有して前記前面パネルの前方に傾倒可能に配置された可動ノーズと、この可動ノーズの下端部に設けられた第１支点部に回動自在に連結されて前後方向へスライド移動可能なスライド部材と、前記可動ノーズの前記第１支点部よりも上方に設けられた第２支点部に回動自在に連結されたアーム部材と、前記スライド部材のスライド移動に連動して前記アーム部材の位置を変化させるアーム駆動手段と、基端部が前記可動ノーズの上端部に回動自在に取着された第１板状部材と基端部が前記前面パネルの側部に摺動可能に支持された第２板状部材との先端部どうしを回動自在に連結してなる折畳み可能かつ展開可能な板状カバー体とを備え、
前記可動ノーズが非傾倒状態のときに前記スライド部材を所定位置へスライド移動させることによって、前記第２支点部が前記第１支点部に対し前進して前記可動ノーズが前記前面パネルに対し前傾した姿勢となると共に、前記板状カバー体が折畳み状態から展開状態へ移行して前記可動ノーズの背面と前記前面パネルとの間の空間を覆う位置に配置されるように構成したことを特徴とする車載用機器のパネル装置。
【請求項２】
請求項１の記載において、前記第２板状部材の基端部に側方へ突出する係合凸部を設けると共に、この係合凸部が摺動自在に係合するガイド溝を前記前面パネルの内側壁に設けたことを特徴とする車載用機器のパネル装置。
【請求項３】
請求項２の記載において、前記ガイド溝が、丸穴状の円形上端部と、この円形上端部よりも幅狭で該円形上端部から下方へ直線状に延在する幅狭溝部とを有すると共に、前記係合凸部が、長手寸法が前記円形上端部と略同幅で短手寸法が前記幅狭溝部と略同幅に形成されていることを特徴とする車載用機器のパネル装置。
【請求項４】
請求項１〜３のいずれか１項の記載において、前記板状カバー体を展開動作方向または折畳み動作方向へ弾性付勢するばね部材を備えていることを特徴とする車載用機器のパネル装置。
【請求項５】
請求項１〜４のいずれか１項の記載において、前記スライド部材を前方の所定位置へスライド移動させることによって前記可動ノーズが前記前面パネルに対し前傾した姿勢となり、かつ、前記スライド部材を前記所定位置からさらに前方へ所定量スライド移動させることによって前記可動ノーズが前記前面パネルに対し後傾した姿勢となるように構成したことを特徴とする車載用機器のパネル装置。
【請求項６】
請求項１〜５のいずれか１項の記載において、前記アーム駆動手段が、前記第２支点部よりも後方で前記アーム部材に設けられた駆動ピンと、前記前面パネルの後方に固設されたブラケットに設けられて前記駆動ピンが摺動自在に係合する第１ピン案内溝と、前記スライド部材に設けられて前記駆動ピンが摺動自在に係合する第２ピン案内溝とを含み、前記スライド部材のスライド移動に連動して前記駆動ピンが前記第１および第２ピン案内溝に沿って移動することによって前記アーム部材の位置が変化するように構成したことを特徴とする車載用機器のパネル装置。
【発明の詳細な説明】
【技術分野】
【０００１】
本発明は、車載用の音響機器や映像機器等において本体装置の前面部に組み付けられるパネル装置に係り、特に、表示画面を有して前傾姿勢に設定可能な可動ノーズを備えた車載用機器のパネル装置に関する。
【背景技術】
【０００２】
車載用として組み込まれている音響機器や映像機器では、本体装置の前面部に固設されてエスカッションと称される前面パネルに各種操作キーや表示画面およびメディア挿入口等を配設するという構成が一般的であったが、近年の多機能化に伴って表示画面が大型化したり操作キーの数が増加してくると、これら表示画面や操作キーおよびメディア挿入口等のすべてを前面パネルの限られたスペース内に配設することは困難となってくる。そこで従来より、液晶画面等の表示画面を有して前面パネルの前方に起立および傾倒可能に配置された可動ノーズと、この可動ノーズに回動自在に連結されて前後方向へスライド移動するようにモータで駆動されるスライド部材とを備え、このスライド部材のスライド移動に連動して可動ノーズの姿勢が変化するように構成したパネル装置が広く知られている。
【０００３】
この種のパネル装置において、可動ノーズは非傾倒姿勢のときに前面パネルのメディア挿入口等を覆い隠しており、可動ノーズを大きく傾倒させることによってメディア挿入口等が露出するようになっている。また、表示画面を利用するときには搭乗者が該表示画面を見やすくするために、スライド部材をスライド移動させることによって可動ノーズの姿勢が変更できるようになっており、従来の一般的なパネル装置では、可動ノーズを前面パネルに対して所定角度後傾させていた。
【０００４】
ところが近年、車室内のデザインの関係上、カーオーディオ等の車載用機器の本体装置が格納されるインストルメントパネルの倒れ角度を大きく設定した車両が出現するようになっており、このような車両において液晶画面等の表示画面を前面パネルに対して後傾させると該表示画面が過度に上方を向いてしまうことになる。つまり、インストルメントパネルの倒れ角度が大きい車両において、可動ノーズの表示画面を搭乗者にとって見やすく配置させるためには、可動ノーズを前面パネルに対して前傾させる必要がある。
【０００５】
可動ノーズを前面パネルに対して前傾させる機構を備えた車載用機器のパネル装置としては、従来、可動ノーズの下端部を回動自在に支持する摺動部材と、該可動ノーズの下端部よりも上方位置を回動自在に支持するガイド部材とを備え、該摺動部材を前面パネルの後方へスライド移動させることによって、該可動ノーズを前傾させるという構成のものが提案されている（例えば、特許文献１参照）。
【特許文献１】特許第３６５７０３８号公報（第７頁、図８）
【発明の開示】
【発明が解決しようとする課題】
【０００６】
しかしながら、車載用機器のパネル装置において可動ノーズを前面パネルに対し前傾させると、後傾させる場合には問題とならなかった新たな問題の発生することが判明した。すなわち、可動ノーズが前面パネルに対して前傾した姿勢に配置されると、可動ノーズの背面と前面パネルとの間に側面視Ｖ字状の空間が画成されてしまうため、この空間に上方から異物や塵埃が侵入しやすくなる。また、この空間を介して可動ノーズの背面等が容易に搭乗者から見えてしまうため、意匠性の面でも好ましくない。
【０００７】
本発明は、このような従来技術の実情に鑑みてなされたもので、その目的は、可動ノーズを前面パネルに対して前傾させても異物や塵埃の侵入を防止できて意匠性も損なわれない車載用機器のパネル装置を提供することにある。
【課題を解決するための手段】
【０００８】
本発明は、前面パネルの前方に傾倒可能に配置された可動ノーズを該前面パネルに対して前傾した姿勢に設定できるパネル装置において、２枚の板状部材を折畳み可能かつ展開可能に連結してなる板状カバー体の一端部を可動ノーズの上端部に回動自在に取着すると共に、この板状カバー体の他端部を前面パネルの側部にて摺動自在に支持し、非傾倒状態の可動ノーズが前面パネルに対し前傾した姿勢に移行するのに伴い、板状カバー体が折畳み状態から展開状態へ移行して可動ノーズの背面と前面パネルとの間の空間を覆う位置に配置されるようにした。
【発明の効果】
【０００９】
本発明のパネル装置によれば、前面パネルに対して可動ノーズの姿勢を前傾させていくと、可動ノーズの上端部の後方で板状カバー体が折畳み状態から展開状態へ移行していくため、可動ノーズを大きく前掲させた場合でも、この可動ノーズの背面と前面パネルとの間に画成される空間を板状カバー体によって確実に覆うことができ、それゆえ該空間への異物や塵埃の侵入を防止できる。また、該空間が板状カバー体で覆われることから、可動ノーズの背面等が搭乗者から見えにくくなって意匠性も改善される。
【発明を実施するための最良の形態】
【００１０】
本発明のパネル装置は、本体装置の前面部に固設された前面パネルと、表示画面を有して前記前面パネルの前方に傾倒可能に配置された可動ノーズと、この可動ノーズの下端部に設けられた第１支点部に回動自在に連結されて前後方向へスライド移動可能なスライド部材と、前記可動ノーズの前記第１支点部よりも上方に設けられた第２支点部に回動自在に連結されたアーム部材と、前記スライド部材のスライド移動に連動して前記アーム部材の位置を変化させるアーム駆動手段と、基端部が前記可動ノーズの上端部に回動自在に取着された第１板状部材と基端部が前記前面パネルの側部に摺動可能に支持された第２板状部材との先端部どうしを回動自在に連結してなる折畳み可能かつ展開可能な板状カバー体とを備え、前記可動ノーズが非傾倒状態のときに前記スライド部材を所定位置へスライド移動させることによって、前記第２支点部が前記第１支点部に対し前進して前記可動ノーズが前記前面パネルに対し前傾した姿勢となると共に、前記板状カバー体が折畳み状態から展開状態へ移行して前記可動ノーズの背面と前記前面パネルとの間の空間を覆う位置に配置されるように構成した
このように構成されたパネル装置では、可動ノーズの第１支点部に連結されたスライド部材を前方あるいは後方へスライド移動させると、可動ノーズの第２支点部に連結されたアーム部材がアーム駆動手段に駆動されて位置を変化させるため、スライド部材を所定位置へスライド移動させることによって第２支点部を第１支点部に対し前進させることができ、それゆえ可動ノーズを前面パネルに対し前傾した姿勢となすことができる。また、こうして可動ノーズを前傾姿勢となす動作に連動して板状カバー体が折畳み状態から展開状態へ移行していき、前傾姿勢の可動ノーズの背面と前面パネルとの間に画成される空間を板状カバー体で覆うことができるため、該空間への異物や塵埃の侵入を板状カバー体によって防止できると共に、該空間に露出する可動ノーズの背面等が搭乗者から見えにくくなる。その際、板状カバー体は２枚の板状部材（第１および第２板状部材）を展開させることで広い面積が確保できるため、前面パネルに対する可動ノーズの前傾角度が大きくて両者間に広い空間が画成される場合でも、展開状態の板状カバー体によって該空間を確実に覆うことができる。また、可動ノーズの姿勢が変化して可動ノーズの上端部と前面パネルとが接近するときには、板状カバー体が展開状態から折畳み状態へ移行するため、板状カバー体に阻害されずに可動ノーズを前面パネルに接近させることができる。
【００１１】
上記の構成において、第２板状部材の基端部（第１板状部材に連結されている側とは逆側の端部）に側方へ突出する係合凸部を設けると共に、この係合凸部が摺動自在に係合するガイド溝を前面パネルの内側壁に設けると、可動ノーズの姿勢変更時に係合凸部がガイド溝に案内されるため第２板状部材を円滑に移動させることができる。そのため、可動ノーズの傾倒姿勢に応じた適正な位置に板状カバー体を配置させやすくなる。
【００１２】
この場合において、ガイド溝が、丸穴状の円形上端部と、この円形上端部よりも幅狭で該円形上端部から下方へ直線状に延在する幅狭溝部とを有すると共に、係合凸部が、長手寸法が円形上端部と略同幅で短手寸法が幅狭溝部と略同幅に形成されていると、円形上端部内に位置する係合凸部を円滑に回転させることができると共に、幅狭溝部内に位置する係合凸部を円滑に上下動させることができる。また、円形上端部内の係合凸部は幅狭溝部の延長線上に位置するときだけ該幅狭溝部内へスライド移動させることができ、円形上端部内の係合凸部が幅狭溝部の延長線上から回転した位置にあるときには、該係合凸部は下方の幅狭溝部内へスライド移動させることができず円形上端部内に保持された状態となる。したがって、可動ノーズが前傾して板状カバー体が展開しているときには、第２板状部材は基端部（係合凸部）の下降動作が規制された状態になっており、この状態で板状カバー体を搭乗者が意図せず押し込んでしまっても、第２板状部材の基端部が押し下げられることはないので、前面パネルの上部と第２板状部材との間に手指を挟み込む等の事故を未然に防止することができる。また、このように係合凸部がガイド溝の円形上端部内に保持可能であると、ガイド溝の幅狭溝部を前面パネルの上下方向に直線状に延在させることができるため、前面パネルの前後方向の厚みを薄くできてパネル装置の小型化が図りやすくなると共に、ガイド溝が外部から目視されなくなって意匠性が高まる。
【００１３】
また、上記の構成において、板状カバー体を展開動作方向または折畳み動作方向へ弾性付勢するばね部材を備えていると、可動ノーズの背面と前面パネルとの間隔が広がる際に板状カバー体を極めて円滑に展開させたり、該間隔が狭まる際に板状カバー体を極めて円滑に折り畳むことができるため、展開動作時や折畳み動作時の板状カバー体が可動ノーズの姿勢変更動作に悪影響を及ぼす虞がなくなる。なお、ばね部材の種類や取付位置は適宜選択可能であり、例えば、第１および第２板状部材の連結部分に取り付けたトーションばねの腕部で両板状部材を展開動作方向へ弾性付勢しても良いし、可動ノーズの背面と第１板状部材との間に取り付けたトーションばねの腕部で第１板状部材を該背面から離れる向きに弾性付勢しても良い。
【００１４】
また、上記の構成において、スライド部材を前方の所定位置へスライド移動させることによって可動ノーズが前面パネルに対し前傾した姿勢となり、かつ、スライド部材を前記所定位置からさらに前方へ所定量スライド移動させることによって可動ノーズが前面パネルに対し後傾した姿勢となるように構成されていると、前面パネルのメディア挿入口等を覆っている非傾倒状態の可動ノーズを前傾させるときにも後傾させるときにも、スライド部材を初期位置から前方へスライド移動させれば良くなるため、スライド部材を初期位置から後方へスライド移動させるという機構を採用した場合に比べて、パネル装置の奥行寸法を短縮できて好ましい。すなわち、スライド部材を初期位置から後方へスライド移動させることによって可動ノーズを前傾姿勢となすことも可能であるが、こうすると初期位置のスライド部材の後方に予めスライド部材の移動スペースを確保しておかねばならないため、パネル装置の奥行寸法が増大して大型化を余儀なくされる。なお、可動ノーズはその上端部を前面パネルに接近させながら後傾させていけば良いため、可動ノーズの上端部に追動させて板状カバー体を折り畳みながら下降させることは容易であり、かつ、後傾した可動ノーズの上端部の下方に折畳み状態の板状カバー体を位置させることができるため、可動ノーズの後傾角度を大きく設定することも容易である。
【００１５】
また、上記の構成において、アーム駆動手段が、第２支点部よりも後方でアーム部材に設けられた駆動ピンと、前面パネルの後方に固設されたブラケットに設けられて駆動ピンが摺動自在に係合する第１ピン案内溝と、スライド部材に設けられて駆動ピンが摺動自在に係合する第２ピン案内溝とを含み、スライド部材のスライド移動に連動して駆動ピンが第１および第２ピン案内溝に沿って移動することによりアーム部材の位置が変化するように構成されていると、スライド部材のスライド移動に連動して可動ノーズを前傾させたり後傾させることのできる簡素な構造のアーム駆動手段が実現できる。つまり、スライド部材のスライド移動に伴って第１および第２ピン案内溝の相対位置が変化するため、例えば駆動ピンを前方斜め上向きに移動させて第２支点部を第１支点部に対し前進させることにより可動ノーズを前傾姿勢となしたり、あるいは駆動ピンを前方斜め下向きに移動させて第１支点部を第２支点部に対し前進させることにより可動ノーズを後傾姿勢となすことができる。
【実施例】
【００１６】
以下、実施例について図面を参照して説明すると、図１は本発明の第１実施例に係るパネル装置で可動ノーズを前傾させた状態を示す外観図、図２は該パネル装置で可動ノーズを若干後傾させた状態を示す外観図、図３は該パネル装置の分解斜視図、図４は該パネル装置で折り畳まれた板状カバー体が展開する動作途中の状態を示す側面図、図５は該パネル装置で板状カバー体が展開する直前の状態を示す要部側面図、図６〜図１３は該パネル装置の動作説明図である。なお、これら動作説明図において、図６は可動ノーズが傾倒していない状態、図７は非傾倒姿勢の可動ノーズを前傾姿勢に移行させる動作途中の状態、図８は可動ノーズを前傾姿勢に移行させた状態、図９は前傾姿勢の可動ノーズを後傾姿勢に移行させる動作開始直後の状態、図１０は可動ノーズを後傾姿勢に移行させる動作途中の状態、図１１は可動ノーズを後傾姿勢に移行させた状態、図１２は後傾姿勢の可動ノーズを開放姿勢に移行させる動作途中の状態、図１３は可動ノーズを開放姿勢に移行させた状態をそれぞれ示している。
【００１７】
図１〜図１３に示すパネル装置は、カーオーディオ等の車載用機器の本体装置を内蔵している筐体１００の前面部に固設されたエスカッション（前面パネル）１と、表示画面（液晶画面）１０ａを有してエスカッション１の前方に傾倒可能に配置された可動ノーズ１０と、エスカッション１の後方に固設されて筐体１００の側板に沿って延びるブラケット２０と、一端部が可動ノーズ１０に回動自在に連結されて他端部にガイドピン６４を有し前後方向へスライド移動可能なスライド部材３０と、一端部が可動ノーズ１０に回動自在に連結されて他端部に駆動ピン６３を有するアーム部材４０と、可動ノーズ１０の上端部に取り付けられた折畳み可能かつ展開可能な板状カバー体５０と、筐体１００の底板に配設された図示せぬモータや歯車群やセンサ等を備えており、このモータがスライド部材３０を前後進させる駆動源となる。
【００１８】
エスカッション１にはＣＤやＤＶＤ等のメディアを挿入／排出するためのメディア挿入口２（図３参照）が開設されている。また、エスカッション１の相対向する内側壁にはガイド溝３が設けられている。各ガイド溝３は、丸穴状の円形上端部３ａと、円形上端部３ａから下方へ直線状に延在する幅狭溝部３ｂとを連通させた凹溝であり、幅狭溝部３ｂは円形上端部３ａよりも幅狭に形成されている。このガイド溝３は、板状カバー体５０の係合凸部５３を摺動自在に係合させるためのものである。
【００１９】
可動ノーズ１０は、エスカッション１に対して非傾倒姿勢、前傾姿勢、後傾姿勢および開放姿勢に適宜設定可能である。そして、このパネル装置が使用されていないとき、可動ノーズ１０は図６に示すような非傾倒姿勢となってエスカッション１のメディア挿入口２を覆い隠しているが、スライド部材３０が前方へスライド移動するのに伴い、可動ノーズ１０は図７〜図１３に示すように姿勢を変化させていく。図１〜図３に示すように、可動ノーズ１０の両側部には、下端部に第１支点部６１が設けられていると共に、第１支点部６１の上方に第２支点部６２が設けられている。第１支点部６１にはスライド部材３０の一端部が回動自在に連結されており、第２支点部６２にはアーム部材４０の一端部が回動自在に連結されている。また、可動ノーズ１０の両側部の上端部には、後述する支軸５が挿入される軸受部１０ｂが設けられている。
【００２０】
板状カバー体５０は、第１板状部材５１と第２板状部材５２の先端部どうしを支軸４を介して回動自在に連結したものであり、折畳み可能かつ展開可能である。第１板状部材５１の基端部は、軸受部１０ｂに軸支される支軸５を介して可動ノーズ１０の上端部に回動自在に取着されている。また、第２板状部材５２の基端部は、係合凸部５３を介してエスカッション１のガイド溝３に摺動可能に支持されている。図４と図５に示すように、第１および第２板状部材５１，５２の連結部分に装着されている支軸４はトーションばね６の巻回部を支持している。そして、このトーションばね６の一方の腕部が第１板状部材５１の掛止ピン５１ａに掛け止めされていると共に、トーションばね６の他方の腕部が第２板状部材５２の掛止ピン５２ａに掛け止めされているため、両板状部材５１，５２はトーションばね６によって折畳み動作方向へ弾性付勢されている。
【００２１】
図３に示すように、第２板状部材５２の基端部の両側面には側方へ突出する係合凸部５３が設けられており、各係合凸部５３が対応するガイド溝３（円形上端部３ａおよび幅狭溝部３ｂ）に摺動自在に係合している。この係合凸部５３は、長手寸法が円形上端部３ａと略同幅で短手寸法が幅狭溝部３ｂと略同幅な小判形状に形成されている。そのため、係合凸部５３が図６〜図１１に示すように円形上端部３ａ内に位置するときには、この円形上端部３ａの内壁に案内されて係合凸部は円滑に回転させることができる。また、係合凸部５３が図１２や図１３に示すように幅狭溝部３ｂ内に位置するときには、この幅狭溝部３ｂの内壁に案内されて係合凸部は円滑に上下動させることができる。そして、円形上端部３ａ内の係合凸部５３は幅狭溝部３ｂの延長線上に位置するときだけ該幅狭溝部３ｂ内へスライド移動させることができ、円形上端部３ａ内の係合凸部５３が幅狭溝部３ｂの延長線上から回転した位置にあるときには、係合凸部５３は下方の幅狭溝部３ｂ内へスライド移動させることができず円形上端部３ａ内に保持された状態になっているため、このとき第２板状部材５２は基端部の下降動作が規制された状態になっている。
【００２２】
ブラケット２０には、逆Ｖ字状に延びて駆動ピン６３を摺動自在に嵌挿している案内溝２００と、直線状に延びてスライド部材３０のガイドピン６４を摺動自在に嵌挿している案内溝２１０とが形成されている。案内溝２００は、後方から前方斜め上向きに延びる第１傾斜案内溝２０１と、それに続いて前方へ僅かな長さだけ延びる頂点案内溝２０２と、それに続いて前方斜め下向きに延びる第２傾斜案内溝２０３とによって構成されている。
【００２３】
スライド部材３０には、Ｌ字状に延びて駆動ピン６３を摺動自在に嵌挿している案内溝３００が形成されている。この案内溝３００は、上端近傍から下方へ延びる上下案内溝３０１と、それに続いて後方へ延びる水平案内溝３０２とによって構成されている。
【００２４】
このスライド部材３０が前後方向へスライド移動するのに伴い、ブラケット２０の案内溝２００とスライド部材３０の案内溝３００との相対位置が変化するため、両案内溝２００，３００に摺動自在に嵌挿されている駆動ピン６３が駆動されてアーム部材４０の位置が変化するようになっている。
【００２５】
次に、主に図６〜図１３を参照しつつ、可動ノーズ１０の姿勢変更時の動作について説明する。
【００２６】
図６に示すように可動ノーズ１０がエスカッション１のメディア挿入口２（図３参照）を覆い隠している非傾倒状態のとき、アーム部材４０の駆動ピン６３は、ブラケット２０の第１傾斜案内溝２０１の後端部に位置していると共に、スライド部材３０の上下案内溝３０１の下端部（水平案内溝３０２の前端部）に位置している。また、可動ノーズ１０の上端部とエスカッション１との間にほとんど隙間が存しない状態となっているため、板状カバー体５０は折り畳まれた状態になっており、第２板状部材５２の係合凸部５３はガイド溝３の円形上端部３ａ内に保持されている。
【００２７】
この状態で可動ノーズ１０に設けられた図示せぬ開閉ボタンが操作されると、筐体１００の底板に設けられた図示せぬモータが正回転してスライド部材３０が前方へスライド移動する。スライド部材３０はそのガイドピン６４がブラケット２０の直線状に延びる案内溝２１０に摺動自在に嵌挿されているため、常に円滑にスライド移動させることができ、このスライド部材３０によってアーム部材４０の駆動ピン６３が駆動される。スライド部材３０が前進すると、駆動ピン６３はまずブラケット２０の第１傾斜案内溝２０１に沿って前方斜め上向きに移動する（図７参照）。この過程で可動ノーズ１０は、第１支点部６１と第２支点部６２がそれぞれスライド部材３０とアーム部材４０によって前方へ押し込まれるが、第１支点部６１よりも第２支点部６２のほうが大きく前進するため、可動ノーズ１０は次第に前傾していき、駆動ピン６３が頂点案内溝２０２に到達した時点で、エスカッション１に対する可動ノーズ１０の前傾角度は最大となる（図８参照）。このときの前傾姿勢は図示せぬセンサによって検出されており、その検出信号に基づいて前記モータへの給電が遮断されると、可動ノーズ１０は図８に示す前傾姿勢に維持される。
【００２８】
また、こうして前傾した可動ノーズ１０の背面とエスカッション１との間には側面視Ｖ字状の空間７０が画成されるが、図７と図８に示すように、可動ノーズ１０の前傾角度が大きくなるのに伴い、板状カバー体５０が折畳み状態から展開状態へ移行していくため、該空間７０は常に板状カバー体５０で覆われた状態になっている。また、この過程で第２板状部材５２は前方へせり出すように回転していくため、係合凸部５３はガイド溝３の円形上端部３ａ内で回転して幅狭溝部３ｂ内へスライド移動できない状態となり、よって第２板状部材５２の基端部は下降動作が規制された状態になっている。
【００２９】
図８の状態で継続的に前記モータへの給電がなされると、スライド部材３０がさらに前方へスライド移動するため、駆動ピン６３がブラケット２０の第２傾斜案内溝２０３に沿って前方斜め下向きに移動していき、この過程で可動ノーズ１０の前傾角度は次第に小さくなる（図９参照）。そして、スライド部材３０がさらに前進するのに伴い、駆動ピン６３は、ブラケット２０の第２傾斜案内溝２０３の前端部に達すると共に、スライド部材３０の上下案内溝３０１と水平案内溝３０２との境界部に達し（図１０参照）、スライド部材３０のさらなる前進に伴い、駆動ピン６３に対して水平案内溝３０２が前進するため、可動ノーズ１０はエスカッション１に対して次第に後傾した姿勢となっていく（図１１参照）。また、図９の状態から図１１の状態へ移行する過程で、可動ノーズ１０の上端部はエスカッション１に近付いていくため、板状カバー体５０は次第に折り畳まれていく。なお、板状カバー体５０にはトーションばね６の付勢力が作用しているので、板状カバー体５０の折畳み動作は極めて円滑に行われる。図１１に示す可動ノーズ１０の後傾姿勢は図示せぬセンサによって検出されており、その検出信号に基づいて前記モータへの給電が遮断された場合には、可動ノーズ１０は図１１に示す後傾姿勢に維持される。
【００３０】
また、図１１の状態で継続的に前記モータへの給電がなされると、スライド部材３０がさらに前方へスライド移動して、駆動ピン６３が相対的に水平案内溝３０２の後方へ移動していくため、可動ノーズ１０の後傾角度は次第に増大していく。また、この過程で、可動ノーズ１０の上端部がエスカッション１に接近しながら下降していくため、円形上端部３ａ内の係合凸部５３が幅狭溝部３ｂ内へスライド移動して、図１２に示すように幅狭溝部３ｂに沿って係合凸部５３を下降させながら板状カバー体５０はさらに折り畳まれていく。そして、駆動ピン６３が水平案内溝３０２の後端部に到達した時点で、図１３に示すように可動ノーズ１０は後ろ向きに大きく倒れた開放姿勢となるため、エスカッション１のメディア挿入口２（図３参照）を露出させることができる。このときの開放姿勢は図示せぬセンサによって検出されており、その検出信号に基づいて前記モータへの給電が遮断されるため、可動ノーズ１０は図１３に示す開放姿勢に維持される。また、こうして可動ノーズ１０が大きく後傾して開放姿勢となったとき、板状カバー体５０は折畳み状態のまま可動ノーズ１０の上端部の下方に位置している。
【００３１】
以上説明したように本実施例に係るパネル装置は、前記モータを正回転させてスライド部材３０を前方へスライド移動させることによって、非傾倒姿勢の可動ノーズ１０を前傾姿勢、後傾姿勢、開放姿勢の順に変化させることができる。このように可動ノーズ１０を前傾させるときにも後傾させるときにもスライド部材３０を初期位置から前方へスライド移動させれば良いパネル装置は、スライド部材を初期位置から後方へスライド移動させるという機構を採用した場合に比べて奥行寸法を短縮できるため、装置の大型化が抑制できる。なお、前記モータを逆回転させれば、開放姿勢の可動ノーズ１０を後傾姿勢、前傾姿勢、非傾倒姿勢の順に変化させることができる。
【００３２】
また、本実施例に係るパネル装置によれば、可動ノーズ１０を前傾姿勢となす動作に連動して折畳み状態の板状カバー体５０が次第に展開状態へ移行していくため、前傾した可動ノーズ１０の背面とエスカッション１との間に画成される空間７０を板状カバー体５０で覆うことができる。それゆえ、空間７０への異物や塵埃の侵入を板状カバー体５０によって防止できると共に、空間７０に露出する可動ノーズ１０の背面等が搭乗者から見えにくくなって意匠性が向上する。しかも、板状カバー体５０は２枚の板状部材（第１および第２板状部材５１，５２）を展開させることで広い面積を確保できるため、エスカッション１に対する可動ノーズ１０の前傾角度が大きくて両者１，１０間に広い空間７０が画成される場合でも、展開状態の板状カバー体５０によって該空間７０を確実に覆うことができる。また、可動ノーズ１０の姿勢が変化して可動ノーズ１０の上端部とエスカッション１とが接近するときには、板状カバー体５０が展開状態から折畳み状態へ移行するため、板状カバー体５０に阻害されずに可動ノーズ１０をエスカッション１に接近させることができる。
【００３３】
なお、本実施例では、第２板状部材５２の係合凸部５３をガイド溝３に摺動自在に係合させているため、可動ノーズ１０の姿勢変更時に第２板状部材５２をガイド溝３の案内によって円滑に移動させることができ、それゆえ可動ノーズ１０の傾倒姿勢に応じた適正な位置に板状カバー体５０が配置させやすくなっている。また、本実施例では、係合凸部５３をガイド溝３の円形上端部３ａ内に位置させたまま第２板状部材５２を回転させることにより、係合凸部５３がスライド移動不能となって第２板状部材５２の基端部の下降動作が規制されるようにしてあるため、展開状態の板状カバー体５０に上方から外力が作用した場合にもエスカッション１の上部と第２板状部材５２との間に広い隙間が生じてしまう虞がない。すなわち、前傾姿勢の可動ノーズ１０の背面とエスカッション１との間の空間７０を覆っている板状カバー体５０を搭乗者が意図せず押し込んでしまっても、第２板状部材５２の基端部（係合凸部５３）は押し下げられないため、エスカッション１の上部と第２板状部材５２との間に手指を挟み込む等の事故を未然に防止することができる。さらに、このように係合凸部５３がガイド溝３の円形上端部３ａ内に保持可能であると、ガイド溝３の幅狭溝部３ｂをエスカッション１の上下方向に直線状に延在させることができるため、エスカッション１の前後方向の厚みを薄くできてパネル装置の小型化が図りやすくなると共に、ガイド溝３が外部から目視されなくなって意匠性が高まる。
【００３４】
また、本実施例では、第１および第２板状部材５１，５２の連結部分に、板状カバー体５０を折畳み動作方向へ弾性付勢するトーションばね６が装着してあるため、可動ノーズ１０の上端部とエスカッション１との間隔が狭まる際に、板状カバー体５０を極めて円滑に折り畳むことができ、それゆえ折畳み動作時の板状カバー体５０が可動ノーズ１０の姿勢変更動作に悪影響を及ぼす虞がない。しかも、トーションばね６の付勢力が第１および第２板状部材５１，５２に常時作用していることから、車両走行中に板状カバー体５０からラットルノイズを生じにくいという付随効果もある。
【００３５】
このように本実施例に係るパネル装置は、エスカッション１の前方で可動ノーズ１０を非傾倒姿勢、前傾姿勢、後傾姿勢、開放姿勢に適宜設定可能であり、可動ノーズ１０が前傾姿勢のときには後方の空間７０が板状カバー体５０で覆えるようになっているため、本体装置を内蔵した筐体１００が格納されるインストルメントパネルの倒れ角度が比較的大きい車両に適用する場合には、可動ノーズ１０を図８に示す前傾姿勢に設定することによって搭乗者が表示画面１０ａを見やすくなる。また、インストルメントパネルの倒れ角度がさほど大きくない車両に適用する場合には、可動ノーズ１０を例えば図１１に示すような後傾姿勢に設定することによって搭乗者が表示画面１０ａを見やすくなり、いずれの場合にもメディアの挿入や排出を行うときには、可動ノーズ１０を図１３に示す開放姿勢に設定することでエスカッション１のメディア挿入口２を露出させることができる。したがって、上記のパネル装置は、インストルメントパネルの倒れ角度が異なる種々の車両に適用することができて使い勝手が良い。
【００３６】
なお、可動ノーズ１０はその上端部をエスカッション１に接近させながら後傾させていけば良いため、可動ノーズ１０の上端部に追動させて板状カバー体５０を折り畳みながら下降させることは容易である。また、可動ノーズ１０を開放姿勢となしたときには、後傾している可動ノーズ５０の上端部の下方に折畳み状態の板状カバー体５０を位置させれば良いので、メディアの挿入や排出を支障なく行うために開放姿勢の可動ノーズ１０の後傾角度を大きく設定することも容易である。
【００３７】
図１４は本発明の第２実施例に係るパネル装置で板状カバー体が若干折り畳まれた状態を示す側面図、図１５は該パネル装置で板状カバー体が展開する直前の状態を示す要部側面図であり、図４と図５に対応する部分には同一符号が付してあるため重複する説明は省略する。
【００３８】
この第２実施例では、板状カバー体５０を付勢するトーションばね６の取付位置が前述した第１実施例と異なっている。すなわち、第２実施例に係るパネル装置では、可動ノーズ１０の上端部と第１板状部材５１の基端部とを回動自在に連結している支軸５がトーションばね６の巻回部を支持しており、このトーションばね６の一方の腕部を可動ノーズの背面に弾接させて他方の腕部を第１板状部材５１の掛止ピン５１ｂに掛け止めすることによって、第１板状部材５１が可動ノーズ１０の背面に向けて弾性付勢されている。したがって、板状カバー体５０はトーションばね６によって折畳み動作方向へ弾性付勢されており、可動ノーズ１０の背面とエスカッション１との間隔が狭まる際に板状カバー体５０を極めて円滑に折り畳むことができるため、折畳み動作時の板状カバー体５０が可動ノーズ１０の姿勢変更動作に悪影響を及ぼす虞がない。
【００３９】
なお、上記した第１および第２実施例では、いずれもトーションばね６が板状カバー体５０を折畳み動作方向へ弾性付勢するという構成にしてあるが、トーションばね等のばね部材で板状カバー体５０を展開動作方向へ弾性付勢するという構成にしても良い。その場合、可動ノーズ１０の背面とエスカッション１との間隔が広がる際に板状カバー体５０を極めて円滑に展開させることができるため、展開動作時の板状カバー体５０が可動ノーズ１０の姿勢変更動作に悪影響を及ぼす虞がなくなる。また、この種のばね部材を省略した構成にした場合でも、可動ノーズ１０の姿勢変更動作に追動させて板状カバー体５０を展開させたり折り畳ませたりすることは可能である。
【図面の簡単な説明】
【００４０】
【図１】本発明の第１実施例に係るパネル装置で可動ノーズを前傾させた状態を示す外観図である。
【図２】第１実施例に係るパネル装置で可動ノーズを若干後傾させた状態を示す外観図である。
【図３】第１実施例にパネル装置の分解斜視図である。
【図４】第１実施例に係るパネル装置で折り畳まれた板状カバー体が展開する動作途中の状態を示す側面図である。
【図５】第１実施例に係るパネル装置で板状カバー体が展開する直前の状態を示す要部側面図である。
【図６】第１実施例に係るパネル装置で可動ノーズが傾倒していない状態を示す動作説明図である。
【図７】第１実施例に係るパネル装置で非傾倒姿勢の可動ノーズを前傾姿勢に移行させる動作途中の状態を示す動作説明図である。
【図８】第１実施例に係るパネル装置で可動ノーズを前傾姿勢に移行させた状態を示す動作説明図である。
【図９】第１実施例に係るパネル装置で前傾姿勢の可動ノーズを後傾姿勢に移行させる動作開始直後の状態を示す動作説明図である。
【図１０】第１実施例に係るパネル装置で可動ノーズを後傾姿勢に移行させる動作途中の状態を示す動作説明図である。
【図１１】第１実施例に係るパネル装置で可動ノーズを後傾姿勢に移行させた状態を示す動作説明図である。
【図１２】第１実施例に係るパネル装置で後傾姿勢の可動ノーズを開放姿勢に移行させる動作途中の状態を示す動作説明図である。
【図１３】第１実施例に係るパネル装置で可動ノーズを開放姿勢に移行させた状態を示す動作説明図である。
【図１４】本発明の第２実施例に係るパネル装置で板状カバー体が若干折り畳まれた状態を示す側面図である。
【図１５】第２実施例に係るパネル装置で板状カバー体が展開する直前の状態を示す要部側面図である。
【符号の説明】
【００４１】
１  エスカッション（前面パネル）
２  メディア挿入口
３  ガイド溝
３ａ  円形上端部
３ｂ  幅狭溝部
４，５  支軸
６  トーションばね（ばね部材）
１０  可動ノーズ
１０ａ  表示画面
２０  ブラケット
３０  スライド部材
４０  アーム部材
５０  板状カバー体
５１  第１板状部材
５２  第２板状部材
５３  係合凸部
６１  第１支点部
６２  第２支点部
６３  駆動ピン
６４  ガイドピン
７０  空間
２００  第１ピン案内溝
３００  第２ピン案内溝
【図１】
2009184569.tif 000003
【図２】
2009184569.tif 000004
【図３】
2009184569.tif 000005
【図４】
2009184569.tif 000006
【図５】
2009184569.tif 000007
【図６】
2009184569.tif 000008
【図７】
2009184569.tif 000009
【図８】
2009184569.tif 000010
【図９】
2009184569.tif 000011
【図１０】
2009184569.tif 000012
【図１１】
2009184569.tif 000013
【図１２】
2009184569.tif 000014
【図１３】
2009184569.tif 000015
【図１４】
2009184569.tif 000016
【図１５】
2009184569.tif 000017